(57)【要約】  本発明は、コンピュータ本体に接続される無線通信装置を備えたコンピュータロックシステムである。無線通信装置は、無線信号受信部と無線信号出力部とを備える。コンピュータ本体は、無線信号取得部と、取得した無線信号の信号強度が所定の値以上であるか否かを判断する信号強度判断部と、無線信号取得部からの取得信号にロック解除ＩＤが含まれるか否かを判断するＩＤ判断部と、取得信号に基づいて判断された前記コンピュータ本体のディスプレイインターフェースが通常に利用可能な状態とするか否かを示す利用可能ステータス情報を保持する利用可能ステータス情報保持部と、利用可能ステータス情報に基づいて前記ディスプレイインターフェースを制御する制御部とを備える。
2020080191.tif 000002
【特許請求の範囲】
【請求項１】
コンピュータ本体と、コンピュータ本体に接続される無線通信装置とを備えるコンピュータロックシステムであって、  前記無線通信装置は、  無線信号を受信する無線信号受信部と、  受信した前記無線信号を前記コンピュータ本体に出力する無線信号出力部と、を備え、  前記コンピュータ本体は、  前記無線信号出力部から出力される前記無線信号を取得するための無線信号取得部と、  取得した前記無線信号の信号強度が所定の値以上であるとの所定の条件を満たしているか否か判断する第１の判断部と、  前記無線信号取得部による取得信号に前記コンピュータ本体のディスプレイインターフェースが通常に利用可能な状態とするためのＩＤであるロック解除ＩＤが含まれるか否かを判断する第２の判断部と、  前記取得信号に基づいて判断された前記コンピュータ本体の前記ディスプレイインターフェースを通常に利用可能な状態とするか否かを示す利用可能ステータス情報を保持する利用可能ステータス情報保持部と、  前記第１の判断部による判断結果が前記信号強度が所定の条件を満たしているとの判断結果であり、かつ、前記第２の判断部による判断結果が有効な解除ＩＤを含むとの判断結果である場合には、利用可能ステータス情報保持部に保持された利用可能ステータス情報を前記コンピュータ本体の前記ディスプレイインターフェースが通常に利用可能な状態とするための利用可能ステータスとする利用可能化部と、  前記第１の判断部での判断結果が前記信号強度が所定の条件を満たしていないとの判断結果、及び／又は前記第２の判断部での判断結果が有効な解除ＩＤを含まないとの判断結果である場合には、前記利用可能ステータス情報保持部に保持された利用可能ステータス情報を、前記コンピュータ本体の前記ディスプレイインターフェースがディスプレイを通常には利用できない状態とするための利用不能ステータスとする利用不能化部と、  前記利用可能ステータス情報保持部に保持された利用可能ステータス情報に基づいて、前記ディスプレイインターフェースを制御する制御部と、を備えるコンピュータロックシステム。
【請求項２】
前記無線信号取得部、前記第１の判断部、前記第２の判断部、前記利用可能ステータス情報保持部、前記利用可能化部、前記利用不能化部、及び前記制御部は、前記コンピュータ本体の動作中は常に動作状態にあるように構成され、請求項１に記載のコンピュータロックシステム。
【請求項３】
前記コンピュータ本体の前記ディスプレイインターフェースがディスプレイを通常には利用できない状態である場合において、前記第１の判断部による判断結果が前記信号強度が所定の条件を満たしていないとの判断結果であるか、及び／又は及び前記第２の判断部による判断結果が有効な解除ＩＤを含まないとの判断結果である場合に、パスワードの入力を受け付けるパスワード入力受付部と、  受け付けた前記パスワードが正しいパスワードであるか否かを判断するためのパスワード判断部と、  前記パスワード判断部による判断結果が前記パスワードが正しいパスワードであるとの判断結果である場合に、前記利用可能ステータス情報保持部に保持された前記利用可能ステータス情報を、利用可能ステータスに固定する利用可能ステータス固定部と、を更に備える、請求項１又は２に記載のコンピュータロックシステム。
【請求項４】
前記利用可能ステータス固定部によって前記利用可能ステータス情報が利用可能ステータスに固定されている場合に、  前記無線信号取得部、前記第１の判断部、前記第２の判断部、及び前記利用不能化部によって前記コンピュータ本体の前記ディスプレイインターフェースがディスプレイを通常には利用できない状態とすることができないように機能を不活性化する不活性化部を更に備える、請求項３に記載のコンピュータロックシステム。
【請求項５】
ユーザが携帯可能な、前記ロック解除ＩＤを含む信号を発信するＲＦＩＤ装置を更に備える、請求項１から４のいずれか一に記載のコンピュータロックシステム。
【請求項６】
コンピュータ本体と、前記コンピュータ本体に接続される無線通信装置を備えるコンピュータロックシステムの動作方法であって、  前記無線通信装置は、  無線信号を受信する信号受信ステップと、  受信した前記無線信号を前記コンピュータ本体に出力する信号出力ステップと、によって動作し、  前記コンピュータ本体は、  前記信号出力ステップから出力される信号を取得するための信号取得ステップと、  取得した前記信号の信号強度が所定の値以上であるとの所定の条件を満たしているか否かを判断する第１の判断ステップと、  前記信号取得ステップでの取得信号に前記コンピュータ本体のディスプレイインターフェースが通常に利用可能な状態とするためのＩＤであるロック解除ＩＤが含まれるか否かを判断する第２の判断ステップと、  前記取得した信号に基づいて判断された前記コンピュータ本体の前記ディスプレイインターフェースが通常に利用可能な状態とするか否かを示す利用可能ステータス情報を保持する利用可能ステータス情報保持ステップと、  前記第１の判断ステップでの判断結果が前記信号強度が所定の条件を満たしているとの判断結果であり、かつ、前記第２の判断ステップでの判断結果が有効な解除ＩＤを含むとの判断結果である場合、前記利用可能ステータス情報保持ステップで保持された前記利用可能ステータス情報を、前記コンピュータ本体の前記ディスプレイインターフェースが通常に利用可能な状態とするための利用可能ステータスにする利用可能化ステップと、  前記第１の判断ステップでの判断結果が前記信号強度が所定の条件を満たしていないとの判断結果、及び／又は前記第２の判断ステップでの判断結果が有効な解除ＩＤを含まないとの判断結果である場合、前記利用可能ステータス情報保持ステップで保持された前記利用可能ステータス情報を、前記コンピュータ本体の前記ディスプレイインターフェースがディスプレイを通常には利用できない状態とするための利用不能ステータスとする利用不能化ステップと、  前記利用可能ステータス情報保持ステップで保持された前記利用可能ステータス情報に基づいて、前記ディスプレイインターフェースを制御する制御ステップと、を含む、コンピュータロックシステムの動作方法。
【請求項７】
コンピュータ本体と、前記コンピュータ本体に接続される無線通信装置を含むコンピュータロックシステムで動作するコンピュータプログラムであって、  前記コンピュータプログラムは、前記コンピュータ本体に、ＣＰＵの制御の下、  前記無線通信装置によって受信された無線信号を取得する取得ステップと、  取得した前記信号の信号強度が所定の値以上であるとの所定の条件を満たしているか否かを判断する第１の判断ステップと、  前記取得信号に、前記コンピュータ本体のディスプレイインターフェースが通常に利用可能な状態とするためのＩＤであるロック解除ＩＤが含まれるか否かを判断する第２の判断ステップと、  前記取得信号に基づいて判断された前記コンピュータ本体のディスプレイインターフェースが通常に利用可能な状態とするか否かを示す利用可能ステータス情報を保持する利用可能ステータス情報保持ステップと、  前記第１の判断ステップによる判断結果が無線信号強度が所定の条件を満たしているとの判断結果であり、かつ、前記第２の判断ステップによる判断結果が有効な解除ＩＤを含むとの判断結果である場合には、前記利用可能ステータス情報保持ステップで保持された利用可能ステータス情報を、前記コンピュータ本体の前記ディスプレイインターフェースが通常に利用可能な状態とするための利用可能ステータスにする利用可能化ステップと、  前記第１の判断ステップでの判断結果が無線信号強度が所定の条件を満たしていないとの判断結果、又は／及び前記第２の判断ステップでの判断結果が有効な解除ＩＤを含まないとの判断結果である場合には利用可能ステータス情報保持ステップにより保持された利用可能ステータス情報を、前記コンピュータ本体の前記ディスプレイインターフェースがディスプレイを通常には利用できない状態とするための利用不能ステータスとする利用不能化ステップと、  前記利用可能ステータス情報保持ステップにより保持された利用可能ステータス情報に基づいて、前記ディスプレイインターフェースを制御する制御ステップと、を実行させる、コンピュータプログラム。
【請求項８】
コンピュータ本体のコンピュータロックシステムであって、  無線通信装置によって受信した無線信号を取得する信号取得部と、  前記コンピュータ本体のディスプレイインターフェースが通常に利用可能な状態又は利用不可能な状態のいずれかを示す利用可能ステータス情報を保持する保持部と、  前記利用可能ステータス情報に従って、前記コンピュータ本体のディスプレイインターフェースを通常に利用可能な状態又は利用不可能な状態のいずれかに制御する制御部と、を備え、  前記制御部は、取得した前記無線信号に基づいて、前記保持部に保持された前記利用可能ステータス情報を前記利用可能な状態又は前記利用不可能な状態のいずれかに設定する、コンピュータロックシステム。
【請求項９】
前記制御部は、前記無線信号の信号強度、及び前記無線信号に前記ディスプレイインターフェースを通常に前記利用可能な状態とするためのＩＤであるロック解除ＩＤを含むか否かに基づいて、前記利用可能ステータス情報を前記利用可能な状態又は前記利用不可能な状態のいずれかに設定する、請求項８に記載のコンピュータロックシステム。
【請求項１０】
前記無線信号の信号強度が所定の値以上であるか否かを判断する第１の判断部と、  前記無線信号に前記ロック解除ＩＤが含まれるか否かを判断する第２の判断部と、を更に備え、  前記制御部は、前記第１の判断部により前記信号強度が所定の値以上であると判断され、かつ、前記第２の判断部により前記無線信号に前記ロック解除ＩＤが含まれると判断される場合に、前記利用可能ステータス情報を前記利用可能な状態に設定する、請求項９に記載のコンピュータロックシステム。
【請求項１１】
前記制御部は、前記第１の判断部により前記信号強度が所定の値以上でないと判断される場合、及び／又は、前記第２の判断部により前記無線信号に前記ロック解除ＩＤが含まれないと判断される場合に、前記利用可能ステータス情報を前記利用不可能な状態に設定する、請求項１０に記載のコンピュータロックシステム。   
【発明の詳細な説明】
【技術分野】
【０００１】  本発明は、コンピュータロックシステムに関し、コンピュータ本体と、コンピュータ本体に接続される無線通信装置とによって実現されるコンピュータロックシステムに関する。
【背景技術】
【０００２】  従来、特定ユーザがコンピュータを操作中に一時的に離れた場合にキーボードやマウスのデータ入力を無効とする処理装置の制御方法または装置が知られている。この例としては、例えば特開２００１−２６８６５５号公報（特許文献１）が挙げられる。この特許文献１には、アンテナを備えたコンピュータと携帯型情報端末（ＰＤＡ）とマウス等を有し、コンピュータに内蔵した近距離無線通信インターフェースに接続されたアンテナを介して携帯型情報端末と交信する構成を開示している。特定ユーザが携帯型情報端末を所持してコンピュータから離れて交信が不可能な状態になると、キーボードやマウス等のデータ入力を無効とする。また、携帯型情報端末を所持して戻ると、自動的に解除して再使用可能な状態に復帰する。【０００３】  また、他の例としては、特開２０００−２２２０５９号公報（特許文献２）が挙げられる。特許文献２は、携帯用の無線タグ（ＲＦＩＤカード等）とアンテナを有するＰＯＳ本体によって構成される情報処理装置において、正規ユーザが操作終了処理や中断処理を行わずに、ＰＯＳ本体から離れてしまった場合、データ入力を禁止する。近づいた場合はデータ入力を許可し、不正操作を防止する構成を開示している。【０００４】  さらに、他の例としては、特開平６−２５９１６０号公報（特許文献３）が挙げられる。特許文献３では、個別の情報を受信するＩＤ情報を受信するレシーバをコンピュータ本体に内蔵させ、個別ＩＤを内蔵したトランスポンダを持つ利用者が近づくだけでＩＤを認識できる装置を開示している。
【先行技術文献】
【特許文献】
【０００５】
【特許文献１】特開２００１−２６８６５５号公報
【特許文献２】特開２０００−２２２０５９号公報
【特許文献３】特開平６−２５９１６０号公報
【発明の概要】
【発明が解決しようとする課題】
【０００６】  しかし、このようなセキュリティシステムにも弱点がある。例えばコンピュータのロックがかかっていない状態で安全システムの一部をフリーズさせると、適正なロック解除無線信号が到達していないにもかかわらずフリーズ時の状態で固定されて、不正利用されることがある。【０００７】  フリーズの一例としてはプログラムに攻撃を加えることを挙げることができる。或いはアンテナの機能を無効化させてフリーズさせることも考えられる。一例としてはアンテナの接続を切ることである。アンテナからの信号が途絶えてしまえば、適正なロック解除無線信号の発信源が交信圏外に出たのか、それとも交信圏内にあるが無線機能が損なわれたのか判断できなくなるからである。なぜなら、アンテナからの信号をもって判断するように構成されているところ、アンテナからの信号が届かなくなるからである。この判断ができなくなるとコンピュータのロックのステータスが固定化され、実際には交信圏外にいるにもかかわらずコンピュータが不正利用可能な状態となってしまう。【０００８】  したがって、セキュリティシステムの一部機能が不全となった場合であっても、セキュリティシステムの重要部分が動作し続ける必要がある。【０００９】  本発明の目的は、コンピュータ本体と、コンピュータ本体に接続される無線通信装置とを備えるコンピュータロックシステムにおいて、無線通信装置が取り外されたとしても、第三者による不正使用を阻止し得るコンピュータロックシステムを提供することにある。
【課題を解決するための手段】
【００１０】  上記課題を解決するための本発明は、以下に示す発明特定事項乃至は技術的特徴を含んで構成される。すなわち、ある観点に従う発明は、コンピュータ本体と、前記コンピュータ本体に接続される無線通信装置とを備えるコンピュータロックシステムである。  前記無線通信装置は、ノイズや無信号状態を含み得る無線信号を受信する信号受信部と、受信した無線信号を前記コンピュータ本体に出力する信号出力部とを備える。  また、前記コンピュータ本体は、前記信号出力部から出力される信号を取得するための信号取得部と、取得した信号の信号強度が所定の値以上であるとの所定の条件を満たしているか否かを判断する信号強度判断部（第１の判断部）と、前記無線信号取得部からの前記取得信号に前記コンピュータ本体のディスプレイインターフェースを通常に利用可能な状態とするためのＩＤであるロック解除ＩＤが含まれるか否かを間欠的に判断するＩＤ判断部（第２の判断部）と、前記取得信号に基づいて判断された前記コンピュータ本体の前記ディスプレイインターフェースが通常に利用可能な状態とするか否かを示す利用可能ステータス情報を保持する利用可能ステータス情報保持部と、前記信号強度判断部による判断結果が前記信号強度が所定の条件を満たしているとの判断結果であり、かつ、前記ＩＤ判断部による判断結果が有効な解除ＩＤを含むとの判断結果である場合には、前記利用可能ステータス情報保持部に保持された前記利用可能ステータス情報を前記コンピュータ本体の前記ディスプレイインターフェースが通常に利用可能な状態とするための利用可能ステータスとする利用可能化部と、前記信号強度判断部による判断結果が前記信号強度が所定の条件を満たしていないとの判断結果、及び／又は前記ＩＤ判断部での判断結果が有効な解除ＩＤを含まないとの判断結果である場合には、前記利用可能ステータス情報保持部に保持された前記利用可能ステータス情報を前記コンピュータ本体の前記ディスプレイインターフェースがディスプレイを通常には利用できない状態とするための利用不能ステータスとする利用不能化部と、前記利用可能ステータス情報保持部に保持された利用可能ステータス情報に基づいて、前記ディスプレイインターフェースを制御する制御部と、を備え得る。【００１１】  また、前記コンピュータロックシステムは、前記コンピュータ本体の前記無線信号取得部と、前記信号強度判断部と、前記ＩＤ判断部と、前記利用可能ステータス情報保持部と、前記利用可能化部と、前記利用不能化部と、前記制御部とは、コンピュータ稼働中は動作状態にあるように構成され得る。【００１２】  また、前記コンピュータロックシステムは、前記コンピュータ本体の前記ディスプレイインターフェースがディスプレイを通常には利用できない状態である場合において、前記信号強度判断部での判断結果が無線信号強度が所定の条件を満たしていないとの判断結果であるか、及び／又はＩＤ判断部での判断結果が有効な解除ＩＤを含まないとの判断結果である場合に、パスワードの入力を受け付けるパスワード入力受付部と、パスワードが正しいパスワードであるか判断するためのパスワード判断部と、パスワード判断部での判断結果がパスワードが正しいパスワ��ドであるとの判断結果である場合に、強制的に前記利用可能ステータス情報保持部に保持された前記利用可能ステータス情報を利用可能ステータスに固定する利用可能ステータス固定部と、を更に備え得る。【００１３】  また、前記コンピュータロックシステムは、前記利用可能ステータス固定部により前記利用可能ステータス情報が利用可能ステータスに固定されている場合に、前記コンピュータ本体の前記無線信号取得部と、前記信号強度判断部と、前記ＩＤ判断部と、前記利用不能化部とによって前記コンピュータ本体の前記ディスプレイインターフェースがディスプレイを通常には利用できない状態とすることができないように、機能を不活性化する不活性化部を備え得る。【００１４】  また、前記コンピュータロックシステムは、ユーザが携帯可能な、前記ロック解除ＩＤを含む信号を発信するＲＦＩＤ装置を更に含み得る。【００１５】  また、別の観点に従う本発明は、コンピュータ本体と、前記コンピュータ本体に接続される無線通信装置とを備えるコンピュータロックシステムの動作方法である。前記無線通信装置は、ノイズや無信号状態を含み得る無線信号を受信する無線信号受信ステップと、受信した無線信号を前記コンピュータ本体に出力する信号出力ステップとを実行する。また、前記コンピュータ本体は、前記信号出力部から出力される信号を取得するための信号取得ステップと、取得した信号強度が所定の強度以上であるとの所定の条件を満たしているか判断する信号強度判断ステップと、前記信号取得ステップによる取得信号に前記コンピュータ本体のディスプレイインターフェースが通常に利用可能な状態とするためのＩＤであるロック解除ＩＤが含まれるか間欠的に判断するＩＤ判断ステップと、前記取得信号に基づいて判断された前記コンピュータ本体の前記ディスプレイインターフェースが通常に利用可能な状態とするか否かを示す利用可能ステータス情報を保持する利用可能ステータス情報保持ステップと、前記信号強度判断ステップでの判断結果が前記信号強度が所定の条件を満たしているとの判断結果であり、かつ、前記ＩＤ判断ステップでの判断結果が有効なロック解除ＩＤを含むとの判断結果である場合には、前記利用可能ステータス情報保持ステップで保持された利用可能ステータス情報を、前記コンピュータ本体の前記ディスプレイインターフェースが通常に利用可能な状態とするための利用可能ステータスとする利用可能化ステップと、前記信号強度判断ステップでの判断結果が前記信号強度が所定の条件を満たしていないとの判断結果、及び／又はＩＤ判断ステップでの判断結果が有効なロック解除ＩＤを含まないとの判断結果である場合には、前記利用可能ステータス情報保持ステップで保持された利用可能ステータス情報を、前記コンピュータ本体の前記ディスプレイインターフェースがディスプレイを通常には利用できない状態とするための利用不能ステータスとする利用不能化ステップと、前記利用可能ステータス情報保持ステップで保持された利用可能ステータス情報に基づいて、前記ディスプレイインターフェースを制御する制御ステップとを実行する。【００１６】  また、別の観点に従う本発明は、コンピュータ本体上で動作するコンピュータプログラムである。前記コンピュータ本体には、無線通信装置が接続され得る。また、前記無線通信装置は、ノイズや無信号状態を含み得る無線信号を受信する信号受信部と、受信した信号をコンピュータ本体に出力する信号出力部とを含み得る。前記無線通信装置は、ノイズや無信号状態を含み得る無線信号を受信する信号受信部と、受信した信号をコンピュータ本体に出力する信号出力部とを含み得る。  前記プログラムは、前記信号出力部から出力される信号を取得するための信号取得ステップと、取得した信号の信号強度が所定の強度以上であるとの所定の条件を満たしているか判断する信号強度判断ステップと、前記信号取得ステップによる取得信号に前記コンピュータ本体の前記ディスプレイインターフェースが通常に利用可能な状態とするためのＩＤであるロック解除ＩＤが含まれるか間欠的に判断するＩＤ判断ステップと、取得信号に基づいて判断された前記コンピュータ本体の前記ディスプレイインターフェースが通常に利用可能な状態とするか否かを示す利用可能ステータス情報を保持する利用可能ステータス情報保持ステップと、前記信号強度判断ステップでの判断結果が無線信号強度が所定の条件を満たしているとの判断結果であり、かつ、前記ＩＤ判断ステップでの判断結果が有効な解除ＩＤを含むとの判断結果である場合には、前記利用可能ステータス情報保持ステップで保持されている利用可能ステータス情報を、前記コンピュータ本体の前記ディスプレイインターフェースが通常に利用可能な状態とするための利用可能ステータスとする利用可能化ステップと、前記第１の判断ステップでの判断結果が無線信号強度が所定の条件を満たしていないとの判断結果、及び／又は前記第２の判断ステップでの判断結果が有効な解除ＩＤを含まないとの判断結果である場合には、前記利用可能ステータス情報保持ステップにて保持されている利用可能ステータス情報を、前記コンピュータ本体の前記ディスプレイインターフェースがディスプレイを通常には利用できない状態とするための利用不能ステータスとする利用不能化ステップと、前記利用可能ステータス情報保持ステップにて保持されている利用可能ステータス情報に基づいて、前記ディスプレイインターフェースを制御する制御ステップとを、前記コンピュータ本体に実行させるように構成される。
【発明の効果】
【００１７】  上述した構成によれば、コンピュータ本体と、コンピュータ本体に接続される無線通信装置とからなるコンピュータロックシステムにおいて、該無線通信装置が取り外されたとしても、第三者による不正使用を阻止し得るコンピュータロックシステムを提供することができる。
【図面の簡単な説明】
【００１８】
【図１】実施形態１のコンピュータロックシステムの概念図
【図２】実施形態１のコンピュータロックシステムの機能ブロック図
【図３】実施形態１のコンピュータ本体の無線信号取得部における取得信号を説明するための図
【図４】実施形態１の電波強度によるロック解除（ログイン）とロック（ログアウト）のレベル設定例を示す図
【図５】実施形態１の電波強度とロック解除距離との関係を示す図
【図６】実施形態１のロック解除距離の設定調整インターフェース画面例を示す図
【図７】実施形態１のコンピュータロックシステムのハードウェア構成例を示す図
【図８】実施形態１のコンピュータロックシステムの処理フローチャート
【図９】実施形態２のコンピュータロックシステムを説明するための図
【図１０】実施形態３のコンピュータロックシステムの機能ブロック図
【図１１】実施形態３のコンピュータロックシステムのハードウェア構成例を示す図
【図１２】実施形態３のコンピュータロックシステムの処理フローチャート
【図１３】実施形態４のコンピュータロックシステムの機能ブロック図
【図１４】実施形態４のコンピュータロックシステムのハードウェア構成例を示す図
【図１５】実施形態４のコンピュータロックシステムの処理フローチャート
【図１６】実施形態５のコンピュータロックシステムの機能ブロック図
【図１７】図６の詳細メニュー画面例を示す図
【図１８】実施形態１におけるロックシステムを利用した勤怠管理例を説明するための図
【発明を実施するための形態】
【００１９】  以下に、図を用いて本発明の実施の形態を説明する。なお、本発明はこれら実施の形態に何ら限定されるものではなく、その要旨を逸脱しない範囲において、種々なる態様で実施し得る。
【００２０】  以下に記載する本装置の機能ブロックは、ハードウェア及びソフトウェアの組み合わせとして実現され得る。具体的には、ＣＰＵ（中央演算装置）や主メモリ、システムバス、或いは、二次記憶装置（ハードディスクドライブや不揮発性メモリ、ＣＤやＤＶＤなどの記録メディアとそれらメディアの読取りドライブなど）、情報入力に利用される入力デバイス、表示装置、アンテナ、その他の外部周辺装置などのハードウェア構成部、またその外部周辺装置用のインターフェース、通信用インターフェース、ＲＦＩＤ、それらハードウェアを制御するためのドライバプログラムやその他アプリケーションプログラム、ユーザ・インターフェース用アプリケーションプログラムなどが挙げられる。そして、主メモリ上に展開したプログラムに従ったＣＰＵの演算処理によって、メモリやハードディスク上に保持されているデータなどが加工、蓄積され、また、上記各ハードウェア資源やソフトウェア資源を制御するための命令が生成される。或いは、本装置の機能ブロックは、専用ハードウェア資源によって構成されても良い。また、本装置は一つのハードウェア資源やソフトウェア資源により構成される場合に限られず、複数のハードウェア資源やソフトウェア資源の組み合わせによって構成されてもよく、ネットワークを介在したサーバ装置を含んで構成されても良い。
【００２１】  また、本発明は、装置として実現できるのみでなく、方法としても実現可能である。また、本発明の一部をソフトウェアとして構成することができる。さらに、そのようなソフトウェアをコンピュータに実行させるために用いるプログラム、及びプログラムを記録した記録媒体も、当然にこの発明の技術的な範囲に含まれる。
【００２２】［実施形態１］＜概要＞  図１に示すように、本コンピュータロックシステムは、コンピュータ本体０１００とコンピュータ本体０１００に外部接続される無線通信装置０１０１とから実現される。例えばそのコンピュータにログインして作業しているユーザ（図１左図）が座席を離れたときに自動的にコンピュータインターフェース（ディスプレイインターフェース等）にロックがかかり（図１右図）、またユーザが席に戻り、近づいた状態でその無線通信装置０１０１からの無線信号に含まれるロック解除ＩＤを受け取ると、自動的にロックが解除されるシステムを構成している。図１では、その他のハードウェアとして、ユーザが作業中に利用しているディスプレイ０１０２やキーボード０１０３を示している。図１左図のディスプレイ画面は作業中の画面を示し、図１右図のディスプレイ画面はコンピュータロック画面を示す。また、そのロック解除ＩＤはユーザが所持しているＲＦＩＤ装置を利用しても良い。ＲＦＩＤ装置は、例えば電池を内蔵したものでも良いし（アクティブＩＣタグと称されることもある。）、内蔵していないものであっても良い（パッシブＩＣタグと称されることもある）。
【００２３】＜構成＞  図２に示すように、実施形態１のコンピュータロックシステムは、例えば、コンピュータ本体０２００と、無線通信装置０２１０とを備えるコンピュータロックシステムである。無線通信装置０２１０は、例えば、無線信号受信部（以下「信号受信部」という。）０２１１と、無線信号出力部（以下「信号出力部」という。）０２１２とを備える。コンピュータ本体０２００は、例えば、無線信号取得部（以下「信号取得部」という。）０２０１と、信号強度判断部０２０２と、ＩＤ判断部０２０３と、利用可能ステータス情報保持部０２０４と、利用可能化部０２０５と、利用不能化部０２０６と、制御部０２０７とを備える。これら各部（コンポーネントないしは手段）は、本開示では、機能的な観点から規定された一例であり、一の部が他の部の機能を含み構成されて良い。例えば、制御部０２０７は、信号取得部０２０１、信号強度判断部０２０２、ＩＤ判断部０２０３、利用可能ステータス情報保持部０２０４、利用可能化部０２０５、及び利用不能化部０２０６の全部又は一部の機能を含み構成されても良い。
【００２４】＜無線通信装置＞  無線通信装置０２１０は、例えば、コンピュータ本体０２００に外部接続されている。他の例として、無線通信装置０２１０は、コンピュータ本体０２００に内蔵されていても良い。例えば、コンピュータ本体０２００のチップセットは、無線通信機能を有するモジュールを含み得る。ユーザは、会社内の自席のコンピュータにログインし、作業している（図１左図）。ユーザは、ロック解除ＩＤを記憶した、無線機能を有するカードやタグ等を所有している。すなわち、コンピュータ本体０２００の無線通信装置０２１０は、マスタの無線通信装置として機能し、タグ等は、スレーブの無線通信装置として機能する。今、ユーザが、作業中に、一時的に席を離れ（図１右図）、無線通信装置０２１０との有効交信範囲を超えて移動すると、ユーザとの間で交信できなくなり、自動的にコンピュータにロックがかかる。すなわち、図１右図のような離席中のロック画面の表示になる。次に、ユーザが席に近づく、又は戻ると、すなわち無線通信装置の有効交信範囲内に入ると、無線通信装置０２１０は、ユーザが所有しているロック解除ＩＤを含む無線信号を受信し、受信した無線信号の中からコンピュータにロックがかかった利用不能状態からロックを解除するためのロック解除ＩＤをコンピュータ本体に渡す。例えば、無線通信装置０２１０は、無線通信装置０２１０に接続されたコンピュータ本体０２００に対して、信号出力部０２１２から自身を認識させるＩＤを出力し得る。
【００２５】＜信号受信部＞  信号受信部０１１１は、無線通信により無線信号を受信する。無線信号は、例えば、ＲＦＩＤ（電源内蔵・非内蔵）技術や他の近距離無線通信技術（例えばＷｉ−Ｆｉ（登録商標）、ブルートゥース（登録商標）等）に従う無線信号である。受信した無線信号は、上述したロック解除ＩＤ、及び／又はノイズや無信号の状態も含まれ得る。
【００２６】＜信号出力部＞  信号出力部０２１２は、受信した無線信号をコンピュータ本体０２００に出力する。信号出力部０２１２の出力は、コンピュータ本体０２００の信号取得部０２０１に入力される。無線信号にはロック解除ＩＤが含まれる場合とロック解除ＩＤが含まれない場合がある。他の例として、信号出力部０２１２は、受信された無線信号に応じた所定のＩＤをコンピュータ本体０２００に出力しても良い。
【００２７】＜コンピュータ本体＞  コンピュータ本体０２００は、例えばデスクトップ型コンピュータ、ノート型コンピュータ、タブレット型コンピュータ等が該当する。ディスプレイは、コンピュータ本体０２００と別体であっても良いし、又は一体型であっても良い。本開示のコンピュータロックシステムは、例えば、会社や市役所、公的機関等において複数人のユーザが作業しているような環境での使用が想定され、ユーザが作業中に席を離れても何ら操作することなく、コンピュータ本体０２００のロックがかかるようになっている。また、ユーザが席に戻ってきた場合、コンピュータ本体０２００に外部接続されている無線通信装置０２１０を介して受信した無線信号にロック解除ＩＤが含まれている場合には、コンピュータのロックが解除される。コンピュータ本体０２００に外部接続された無線通信装置０２１０とロック解除ＩＤを所持しているユーザとの有効通信範囲（有効交信範囲）は例えば約０．４〜５メートルの範囲で設定されるが、これに限られない。なお、無線通信装置０２１０は、接続されているコンピュータ本体０２００からの制御によって有効通信範囲（有効交信範囲）を変更できるように構成されても良い。タグ等の送信強度及び／又は無線通信装置０２１０の受信感度は、ユーザによるユーザ・インターフェースの操作を介して、調整され得る。例えば、コンピュータ本体０２００の設置間隔が１メートル未満と狭い場合、有効通信範囲（有効交信範囲）は１メートル以下に設定される。また、コンピュータ本体０２００の設置間隔が広い場合、数メートルの有効通信範囲で設定することができる。
【００２８】＜信号取得部＞  信号取得部０２０１は、信号出力部０２１２から出力される無線信号を取得する。信号取得部０２０１は、後述する図３に示すような適合した無線信号又は非適合しない無線信号を取得する。
【００２９】＜信号強度判断部＞  信号強度判断部０２０２は、信号取得部０２０１から取得した無線信号強度が所定の強度以上であるとの所定の条件を満たしているか否かを判断する。本開示における第１の判断部は、信号強度判断部０２０２に対応する。例えば、図４に示すように、ロック解除距離が近い場合と遠い場合に分けてその時の無線信号強度の検知レベルを１０段階に設定できるように構成しても良い。
【００３０】  ロック解除距離は、例えば、図５に示すように縦軸を電波（信号）強度（ｄＢｍ）、横軸を０．４ｍ〜５．４ｍの距離とし、複数回の信号強度の測定を行い、平均値を求めて決定される。図５の例では、人が持ち歩くＲＦＩＤの電波の発信強度を８段階のレベルに分けて、パーソナルコンピュータの近傍に設置されるアンテナからの距離に応じてどの程度の受信強度が得られるかを実験したものである。この例では、必ずしも均一に距離に応じた電波強度の減少がみられるものでないことがわかる。図４の例は、図５のような信号強度レベル設定を１０段階に設定したものである。この信号強度のレベル設定は、電波（信号）の測定環境によっても測定の値が異なるので、上述した信号強度の値に限定されないことは言うまでもない。また、信号強度レベルは、各種コンピュータのロックとロック解除の環境下で実測して設定することが望ましい。
【００３１】  図６は、このようなロック解除距離の設定画面インターフェースの例を示している。ユーザは、ロック解除距離を、「近い」・・・・・・・「遠い」でスライドバーの位置を変えることにより設定することができる。図６の例では、図４のように１０段階にレベル設定した場合で考えると、レベル３か４に相当する。ロック解除距離としては、例えば２ｍ程度に設定される。ユーザは、設定画面において、「有効期限」、「従業員番号」、「Ｅメールアドレス」、「ログインＩＤ」などを登録することができる。これらの登録情報は、例えば、「追加」アイコンがクリックされることで、その入力画面に切り替わる。また、ユーザは、「詳細」アイコンをクリックすると、図１７に示すように、登録情報の「保存」、「削除」等が行える。１つのコンピュータ本体０２００を複数人で共用している場合は、共同使用者として追加登録することにより複数人を設定することができる。また、同じ組織やグループで共用しているユーザごとにロック管理をすることができる。これにより、各ユーザのセキュリティを担保することができる。
【００３２】＜ＩＤ判断部＞  ＩＤ判断部０２０３は、信号取得部０２０１からの適合した無線信号（適合信号）を含む又は適合していない無線信号（非適合信号）を含む取得信号にコンピュータ本体０２００のディスプレイインターフェースが通常に利用可能な状態とするためのＩＤであるロック解除ＩＤが含まれるか間欠的に判断する。本開示における第２の判断部は、ＩＤ判断部０２０３に相当する。
【００３３】  図３に示すように、上述した取得信号は、適合した無線信号（適合信号）及び／又は適合していない無線信号（非適合信号）を含む。取得信号の形態としては、例えば、適合信号（Ａ）の形態と非適合信号（Ｂ）の形態がある。適合信号（Ａ）は、ロック解除ＩＤ（Ａ−１）のみを含む場合と、ロック解除ＩＤ（Ａ−１）に加えて、その他の信号（Ａ−２）を含む場合がある。また、取得信号が、適合信号（Ａ）及び非適合信号（Ｂ）の双方を含む場合は、更にロック解除ＩＤ（Ａ−１）を含む場合と、ロック解除ＩＤ（Ａ−１）及びその他の信号（Ａ−２）を含む場合がある。適合信号（Ａ）のロック解除ＩＤやその他の信号にはアンテナＩＤ付取得部ＩＤが含まれている。また、非適合信号（Ｂ）にはアンテナＩＤなしの取得部ＩＤが含まれ得る。ここで、非適合信号としては、無線通信装置０２１０が接続されていない場合など、コンピュータ本体０２００の受信アンテナ差し込み口で発生する微弱電流も含まれる。したがって、ＩＤ判断部０２０３ないしは該ＩＤ判断部０２０３での判断結果を利用する各部は、取得信号にアンテナＩＤが含まれず、コンピュータロックシステムの一部が機能不全であると判断した場合であっても機能し続けるように構成される。
【００３４】  適合信号のその他の信号には、ＩＤ判断部０２０３、利用可能ステータス情報保持部０２０４、利用可能化部０２０５、利用不能化部０２０６、及び制御部０２０７などの各部で用いられるパラメータなどを変更するためのパラメータ変更可能キーが含まれるように構成されても良い。例えば、ＩＤ判断部０２０３は、パラメータ変更可能化キーが含まれているか否かの判断を行い、該判断の結果に従って、コンピュータ本体０２００のインターフェースから各部のパラメータが変更可能となるように構成されても良い。ＩＤ判断部０２０３のパラメータとしては、例えばロック解除ＩＤを挙げることができる。また、利用可能ステータス情報保持部０２０４のパラメータとしては、利用可能ステータスそのものや、利用可能ステータスの有効期間、利用可能ステータスの履歴蓄積期間などを挙げることができる。また、利用可能化部０２０５や利用不能化部０２０６のパラメータとしては、利用可能ステータス情報保持部０２０４が複数ある場合にどの利用可能ステータス情報保持部０２０４のステータスを利用可能ステータス又は利用不能ステータスに設定（更新）するか否かを挙げることができる。
【００３５】  利用可能ステータス情報保持部０２０４が複数ある場合とは、ＯＳにログインユーザが複数登録されているような場合（ログインユーザに応じて利用可能ファイルや利用可能データベース、利用可能外部接続装置、利用可能ネットワーク、利用可能アプリケーションが異なる）である。この場合には、コンピュータ本体０２００が、ユーザＡのロック解除ＩＤを取得し、ロックが解除された場合、ユーザＢは、ログインしてコンピュータ本体０２００の通常の利用が可能となるが、ユーザＡを含む他のユーザは、その間、ログインをすることができない。
【００３６】  制御部０２０７のパラメータとしては、制御対象となるディスプレイインターフェースの種類を選択するものを挙げることができる。具体的には、このようなパラメータは、例えば、一台のコンピュータに複数台のディスプレイが接続されている場合に、すべてのディスプレイに対して通常の操作が可能なように構成するのか、一部のディスプレイに対してのみ通常の操作が可能なように構成するのかといった選択を可能にする。また、制御部０２０７は、時間や時刻に応じてディスプレイインターフェースの制御を変更可能にするパラメータに従って動作するように構成されても良い。
【００３７】  ＩＤ判断部０２０３は、このような取得信号に基づいて適合信号や非適合信号に、ロック解除ＩＤが含まれているか否かを間欠的に判断するので、コンピュータ本体０２００に外部接続された無線通信装置が取り外されたとしても、これに影響を受けることなく、取得信号に基づいてコンピュータ本体０２００のロック又はロック解除が行われるようになる。
【００３８】  例えば、コンピュータ本体０２００にロックがかかり、これにより、ディスプレイインターフェースが利用不能状態になっている場合において、ＩＤ判断部０２０３は、取得信号にロック解除ＩＤが含まれていると判断する場合、利用可能化部０２０５により利用可能ステータス情報保持部０２０４の利用可能ステータス情報を利用可能ステータスに設定し、制御部０２０７の制御によりコンピュータ本体０２００のロックを解除する。一方、ＩＤ判断部０２０３は、取得信号にロック解除ＩＤが含まれていないと判断する場合、コンピュータ本体０２００のロックを継続した状態を維持する。ＩＤ判断部０２０３の動作は、例えば間欠的に、すなわち定期又は不定期の時間間隔で繰り返し行われる。間欠的な時間間隔は、作業内容によって選択され得るが、通常の作業であれば数秒から数十秒の時間で設定され得る。間欠的な時間間隔を調整するための時間間隔調整部をコンピュータ本体に備えていても良い。
【００３９】＜利用可能ステータス情報保持部＞  利用可能ステータス情報保持部０２０４は、取得信号に基づいて判断されたコンピュータ本体０２００のディスプレイインターフェースが通常に利用可能な状態とするか否かを示す利用可能ステータス情報を保持する。ディスプレイインターフェースが通常に利用可能な状態とは、コンピュータ本体０２００に接続されたキーボードやマウスによりデータ入力やマウスカーソルによる操作が可能な状態をいう。ただし、ロックされている状態でもロック画面にパスワードの入力をするためのカーソル移動や、キー操作は可能なように設計されるので、このような動作が可能な状態は、ここでいう通常に利用可能な状態とは称さない。利用可能ステータス情報保持部０２０４は、例えば、不揮発性メモリ０７０２上に形成される。
【００４０】＜利用可能化部＞  利用可能化部０２０５は、信号強度判断部０２０２による判断結果が無線信号強度が所定の条件を満たしているとの判断結果であり、かつ、ＩＤ判断部０２０３による判断結果が有効な解除ＩＤを含むとの判断結果である場合に、利用可能ステータス情報保持部０２０４の利用可能ステータス情報を、コンピュータ本体０２００のディスプレイインターフェースが通常に利用可能な状態とするための利用可能ステータスとするように構成される。
【００４１】＜利用不能化部＞  利用不能化部０２０６は、信号強度判断部０２０２による判断結果が無線信号強度が所定の条件を満たしていないとの判断結果であり、及び／又はＩＤ判断部０２０３による判断結果が有効な解除ＩＤを含まないとの判断結果である場合に、利用可能ステータス情報保持部０２０４の利用可能ステータス情報を、コンピュータ本体０２００のディスプレイインターフェースがディスプレイを通常には利用できない状態とするための利用不能ステータスとするように構成される。ここで「通常には利用できない状態」とは、例えば、いわゆるデスクトップ画面が操作可能に表示されていない状態や、何らかのアプリケーション（ウェブブラウザ等を含む）が操作可能に表示されていない状態などをいう。ただし、「通常には利用できない状態」には、パスワードの入力を受付けて、その後「通常に利用できる状態」に移行可能とするようなものは、通常に利用できない状態に含まれ得る。
【００４２】＜制御部＞  制御部０２０７は、例えば、利用可能ステータス情報保持部０２０４に保持されている利用可能ステータス情報に基づいてディスプレイインターフェースを制御する。制御部０２０７は、利用可能ステータス情報が利用可能ステータスであれば、ディスプレイインターフェースを通常に利用可能な状態として制御を行う。一方、利用可能ステータス情報が利用不能ステータスであれば、制御部０２０７は、ディスプレイインターフェースを通常には利用できない状態として制御を行う。ロック画面になっており、パスワードの入力を受け付けることでロック解除可能なように構成されている画面は、通常には利用可能でない状態である。これは、ディスプレイインターフェースがパスワードの受付機能のみを有している状態で通常の作業を直ちに開始できる状態ではないからである。ただし、ロック画面はこれに限定されず、パスワードの入力を受け付けない画面状態であるように構成されても良い。その場合には、制御部０２０７は、マウスやキーボード等の入力デバイスによる入力を受け付けない。
【００４３】  上述したようなコンピュータロックシステムにおいて、無線通信装置０２１０は、例えば、取り外し可能にコンピュータ本体０２００に接続される。コンピュータ本体０２００のロック中に、無線通信装置０２１０がコンピュータ本体０２００から取り外されたとしても、コンピュータ本体０２００は、上述したような取得信号に基づいて適合信号又は非適合信号のいずれであるか否かを判断しているので、コンピュータ本体０２００を第三者による不正利用から守ることができる。すなわち、無線通信装置０２１０がコンピュータ本体０２００から取り外されたか否かに拘わらず、コンピュータ本体０２００をセキュアな状態におくことができる。
【００４４】  また、他の例として、無線通信装置０２１０が他の正規でないアンテナ受信装置と取り換えられたとしても、制御部０２０７は、コンピュータ本体０２００を第三者が利用できないように制御し得る。
【００４５】＜コンピュータ本体＞  図７に示すように、コンピュータ本体０２００の構成は、例えば、ＣＰＵ０７０１と、ＨＤＤ、ＲＯＭ等の不揮発性メモリ０７０２と、Ｄ−ＲＡＭ等の主メモリ０７０３と、インターフェース０７０４とから構成されている。不揮発性メモリ０７０２には、例えば、信号取得プログラム、ＩＤ判断プログラム、利用可能ステータス情報保持プログラム、利用可能化プログラム、利用不能化プログラム、制御プログラム等の各種のプログラムが格納されている。これらプログラムは、１つ又は複数のプログラムとして構成されても良い。各プログラムの全部又は一部は、ＣＰＵ０７０１の制御の下、主メモリ０７０３の所定の領域に展開され、各種のデータに基づいて、実行される。各種のデータとしては、例えば、受信した無線信号、信号強度、ロック解除ＩＤ、及び利用可能ステータス情報等に基づくデータがある。インターフェース０４０４は、例えば、ディスプレイインターフェース０７０５、キーボードインターフェース０７０６、及びネットワークインターフェース０７０７等を含む。
【００４６】＜処理の流れ＞  図８に示すように、無線通信装置０２１０は、例えばＲＦＩＤ等から発出された無線信号を受信する信号受信ステップを実行する（ステップ０８０１）。無線信号は、ノイズ及び／又は無信号状態を含み得る。
【００４７】  無線通信装置０２１０は、受信した信号をコンピュータ本体０２００に出力する信号出力ステップを実行する（ステップ０８０２）。このステップにより、受信した信号は、外部接続されたコンピュータ本体０２００に供給される。
【００４８】  コンピュータ本体０２００は、ＣＰＵ０７０１の制御の下、信号取得プログラムの実行に従って無線通信装置０２１０の信号出力部０２１２から出力される信号を取得するための無線信号取得ステップを実行する（ステップ０８０３）。
【００４９】  コンピュータ本体０２００は、次に、信号強度判定プログラムの実行に従って、信号取得部０２０１から取得した信号（取得信号）の無線信号強度が所定の強度以上であるとの所定の条件を満たしているか否かを判断するための信号強度判断ステップを実行する（ステップ０８０４）。例えば、図４に示すように、検知レベルがレベル３に設定されている場合、コンピュータ本体０２００は、信号強度がログイン（ロック解除）では−４１ｄＢｍ以上、ログアウト（ロック）では−５１ｄＢｍ以下の条件を満たすか否かを判断する。或いは、検知レベルがレベル４であれば、信号強度がログイン（ロック解除）では−５０ｄＢｍ以上、ログアウト（ロック）では−６０ｄＢｍ以下の条件を満たすか否かを判断する。
【００５０】  コンピュータ本体０２００は、次に、ＩＤ判断プログラムの実行に従って、取得信号が信号取得ステップ０８０３による取得信号にコンピュータ本体０２００のディスプレイインターフェースが通常に利用可能な状態とするためのＩＤであるロック解除ＩＤが含まれるか否かを判断するための判断ステップを実行する（ステップ０８０４）。判断ステップは、通常の作業であれば、間欠的に（例えば数秒から数十秒に一回程度の割合で）実行される。
【００５１】  コンピュータ本体０２００は、次に、利用可能化プログラムの実行に従って、信号強度判断ステップ０８０４での判断結果が無線信号強度が所定の条件を満たしているとの判断結果であり、かつ、判断ステップ０８０５での判断結果が有効な解除ＩＤを含むとの判断結果である場合、利用可能ステータス情報保持部０２０４の利用可能ステータス情報を、コンピュータ本体０２００のディスプレイインターフェースが通常に利用可能な状態とするための利用可能ステータスとする利用可能化ステップを実行する（ステップ０８０６）。
【００５２】  ここで、利用可能ステータス情報保持プログラムの実行により、取得信号に基づいて判断され設定された利用可能ステータス情報は、利用可能ステータス情報保持部０２０４に常時保持されている。したがって、利用可能ステータス情報は、利用可能化ステップによって利用可能ステータスに更新ないしは変更されて保持される。また、ロック解除ＩＤと対象となるコンピュータ本体０２００のログインユーザ情報は関連づけて保持されている。複数台のコンピュータ本体０２００がある場合、個別にログイン解除ＩＤを設定することもできる。或いは、コンピュータ本体０２００が共有設定で使用される環境においては、各ユーザが１つのロック解除ＩＤを相互に利用しても良いし、それぞれのロック解除ＩＤが複数設定されても良い。さらに、企業や公的機関においてコンピュータ本体０２００を担当するユーザが不在であっても、他のロック解除ＩＤを設定して利用可能な状態にするように、システムが設定されても良い。
【００５３】  一方、コンピュータ本体０２００は、信号強度判断ステップ０８０４での判断結果が無線信号強度が所定の条件を満たしていないとの判断結果、及び／又は判断ステップ０８０５での判断結果が有効な解除ＩＤを含まないとの判断結果である場合、利用可能ステータス情報保持ステップの利用可能ステータス情報を、コンピュータ本体０２００のディスプレイインターフェースがディスプレイを通常には利用できない状態とするための利用不能ステータスとする利用不能化ステップを実行する（ステップ０８０７）。
【００５４】  ここで、コンピュータ本体０２００がロック状態にある場合において、近づいたタグ等からの無線信号が正規のロック解除ＩＤを含まない場合は、コンピュータ本体０２００は、ロック状態を維持する。また、コンピュータ本体０２００と対応付けられているタグ等が他のコンピュータ本体に近づけられても、ロック状態は解除されない。したがって、当該他のコンピュータ本体のディスプレイインターフェースは、そのまま利用可能な状態にはない。これらの利用不能状態情報は利用可能ステータス情報保持部０２０４に保持されている。
【００５５】  コンピュータ本体０２００は、次に、制御プログラムの実行に従って利用可能ステータス情報保持部０２０４にて保持されている利用可能ステータス情報に基づいて、ディスプレイインターフェースを制御するための制御ステップを実行する（ステップ０８０８）。
【００５６】  コンピュータ本体０２００は、ユーザによるコンピュータ利用が終了しない場合は（ステップ０８０９のＮ）、上述した信号取得ステップに戻り、上記のステップを繰り返す。また、コンピュータ利用が終了する場合（ステップ０８０９のＹ）、例えばコンピュータの電源ＯＦＦされた場合は、処理を終了する。
【００５７】  再び、コンピュータ本体の電源がＯＮになると、コンピュータロックシステムは作動し、コンピュータ本体０２００に割り当てられたロック解除ＩＤと利用者ステータス情報とに基づいて、ロック状態／ロック解除状態が、何らのユーザの操作を介することなく、自動的に制御される。
【００５８】  このように、実施形態１によれば、コンピュータ本体０２００と、コンピュータ本体０２００に外部接続される無線通信装置０２１０とからなるコンピュータロックシステムにおいて、無線通信装置０２１０が取り外されたとしても、不正な使用からコンピュータ本体０２００を保護することができるようになる。
【００５９】［実施形態２］＜概要＞  実施形態２は、実施形態１の変形であり、コンピュータ本体０２００の信号取得部０２０１と、信号強度判断部０２０２と、ＩＤ判断部０２０３と、利用可能ステータス情報保持部０２０４と、利用可能化部０２０５と、利用不能化部０２０６と、制御部０２０７とが、コンピュータ本体０２００の稼働中は常に、動作状態にあるように構成している点に特徴がある。
【００６０】＜構成＞  図２に示すように、実施形態２のコンピュータロックシステムは、例えば、コンピュータ本体０２００と、無線通信装置０２１０とを備えるコンピュータロックシステムである。無線通信装置０１１０は、例えば、信号受信部０２１１と、信号出力部０２１２とを備えるコンピュータ本体０２００は、例えば、信号取得部０２０１と、信号強度判断部０２０２と、ＩＤ判断部０２０３と、利用可能ステータス情報保持部０２０４と、利用可能化部０２０５と、利用不能化部０２０６と、制御部０２０７とを備える。コンピュータ本体０２００の信号取得部０２０１と、信号強度判断部０２０２と、ＩＤ判断部０２０３と、利用可能ステータス情報保持部０２０４と、利用可能化部０２０５と、利用不能化部０２０６と、制御部０２０７とはコンピュータ稼働中は常に動作状態にあるように構成されている。本開示において、信号取得部０２０１と、信号強度判断部０２０２と、ＩＤ判断部０２０３と、利用可能ステータス情報保持部０２０４と、利用可能化部０２０５と、利用不能化部０２０６と、制御部０２０７とを、ロック制御部と称することもある。
【００６１】＜構成・作用の説明＞  図９に示すように、ケース（ＣＡＳＥ）１の例では、コンピュータ本体０２００の電源がＯＮ（コンピュータが稼働中）になると、本コンピュータロックシステムもＯＮとなり、ロック制御部（信号取得部０２０１、信号強度判断部０２０２、ＩＤ判断部０２０３、利用可能ステータス情報保持部０２０４、利用可能化部０２０５、利用不能化部０２０６、及び制御部０２０７）が動作状態となる。例えば、本開示に係るコンピュータロックシステムの機能がソフトウェアによって実現される場合は、コンピュータロックシステムのソフトウェアがアプリケーションとしてインストールされ、コンピュータ本体０２００のＯＳ上に常駐することになる。そして、コンピュータ本体０２００の電源がＯＮとなり、ＣＰＵ０７０１の制御の下、信号強度判断部０２０２が信号取得部０２０１の信号強度を判定し、かつ、ＩＤ判断部０２０３が信号取得部０２０１の取得信号を判定しているので、正常にコンピュータロックシステムが動作する。また、コンピュータ本体０２００の電源がＯＦＦになると、本コンピュータロックシステムもＯＦＦとなる。すなわち、ロック制御部（信号取得部０２０１、信号強度判断部０２０２、ＩＤ判断部０２０３、利用可能ステータス情報保持部０２０４、利用可能化部０２０５、及び利用不能化部０２０６、制御部０２０７）が非動作状態となる。このように、コンピュータ本体０２００の電源ＯＮ、ＯＦＦの操作に連動して、コンピュータロックシステムもそれぞれＯＮ、ＯＦＦとなる。
【００６２】  図９に示すように、ケース（ＣＡＳＥ）２の例では、コンピュータ本体０２００に無線通信装置０２１０が接続又は非接続されている状態を示す。コンピュータ本体０２００に無線通信装置０２１０が外部接続されている場合に、コンピュータ本体０２００の電源がＯＮすると、本コンピュータロックシステムもＯＮとなる。すなわち、ロック制御部（信号取得部０２０１、信号強度判断部０２０２、ＩＤ判断部０２０３、利用可能ステータス情報保持部０２０４、利用可能化部０２０５、利用不能化部０２０６、及び制御部０２０７）が動作状態となる。また、無線通信装置が外部接続されている場合において、コンピュータ本体０２００の電源がＯＦＦになると、本コンピュータロックシステムもＯＦＦとなる。すなわち、ロック制御部（信号取得部０２０１、信号強度判断部０２０２、ＩＤ判断部０２０３、利用可能ステータス情報保持部０２０４、利用可能化部０２０５、利用不能化部０２０６、及び制御部０２０７）が非動作状態となる。
【００６３】  無線通信装置０２１０がＯＦＦ（又は無線通信装置０２１０が取り外された状態）の場合であっても、コンピュータ本体０２００の電源がＯＮになると、本コンピュータロックシステムはＯＮとなり、動作状態となる。すなわち、アプリケーションの起動命令がなくても動作する。無線通信装置がＯＦＦの状態でコンピュータの電源がＯＦＦになると、本コンピュータロックシステムはＯＦＦとなり、ロック制御動作を終了する。コンピュータ本体０２００の電源がＯＮの状態で、無線通信装置０２１０が脱装された場合であっても、本コンピュータロックシステムは動作を続行する。
【００６４】  このように、実施形態２によれば、実施形態１に加え、無線通信装置０２１０が外部接続されていても、外部接続されていなくても、コンピュータ本体０２００の稼働中は常に動作状態にあるので、コンピュータ本体０２００稼働中におけるセキュリティは継続して維持される。
【００６５】［実施形態３］＜概要＞  実施形態３は、実施形態１及び／又は実施形態２の変形であり、ディスプレイインターフェースは、通常時に、利用不能状態（コンピュータロックがかかっている状態）において、ロック解除ＩＤが取得信号に含まれない場合でも、正しいパスワードを受け付けたときには利用可能ステータス情報が利用可能ステータスに固定される点に特徴がある。
【００６６】＜構成＞  図１０に示すように、実施形態３のコンピュータロックシステムは、例えば、コンピュータ本体１０００と、無線通信装置１０２０と、からなるコンピュータロックシステムである。無線通信装置１０２０は、例えば、信号受信部１０２１と、信号出力部１０２２とを備える。コンピュータ本体１０００は、例えば、信号取得部１００１と、信号強度判断部１００２と、ＩＤ判断部１００３と、利用可能ステータス情報保持部１００４と、利用可能化部１００５と、利用不能化部１００６と、制御部１００７とを備える。また、コンピュータ本体１０００は、パスワード入力受付部１００８と、パスワード判断部１００９と、利用可能ステータス固定部１０１０とを更に備える。
【００６７】＜パスワード入力受付部＞  パスワード入力受付部１００８は、コンピュータ本体１０００のディスプレイインターフェースがディスプレイを通常には利用できない状態である場合において、信号強度判断部１００２での判断結果が無線信号強度が所定の条件を満たしていないとの判断結果であるか、及び／又はＩＤ判断部１００３での判断結果が有効な解除ＩＤを含まないとの判断結果であり、パスワード入力の受け付け有無の判断を行う。例えば、コンピュータ本体１０００に接続されたキーボードやタブレットＰＣのタッチ画面に表示されたソフトウェアキーボードなどからパスワードが入力されると、パスワード判断部１００９の処理に進む。
【００６８】＜パスワード判断部＞  パスワード判断部１００９は、入力されたパスワードが正しいパスワードであるか判断する。ここで、例えばコンピュータ本体１０００がウィンドウズ（登録商標）パソコンであれば、対象となるコンピュータ本体１０００のログインパスワードとして設定されたものと同じであれば、パスワードは正常と判断する。
【００６９】＜利用可能ステータス固定部＞  利用可能ステータス固定部１０１０は、パスワード判断部１００９での判断結果がパスワードが正しいパスワードであるとの判断結果である場合に、強制的に利用可能ステータス情報保持部１００４の利用可能ステータス情報を利用可能ステータスに固定とする。すなわち、本コンピュータロックシステムは、パスワードが正常である場合、利用可能ステータス情報保持部１００４の利用可能ステータス情報を利用不能ステータスから利用可能ステータスに固定とする。コンピュータ本体１０００のディスプレイインターフェースが通常の利用可能な状態になる。このように構成するのは、万が一、ロック解除ＩＤの発信源が故障したり、ロック解除ＩＤの発信源を紛失したりしたような場合の緊急避難策が必要だからである。したがって、このパスワードは、会社のシステム管理者などの高度の権限を有する者が秘匿して保持していることが好ましい。また、一旦、このパスワードを利用してロック解除された後、間欠的にロック解除ＩＤの取得有無が判断されるとすると、ほんの数秒間しかロック解除状態を維持できないという問題が生じ、実質的にロック解除してコンピュータを操作するということ不可能になる。そこで、パスワードを利用してロック解除した場合には、ロック解除ＩＤの取得判断などの通常の処理を実行せず、常時利用可能ステータス情報のステータスが利用可能ステータスに固定しておく。その他の構成は、実施形態１の図２の構成と同様であるので、説明を省略する。
【００７０】＜作用＞  図１１に示すように、コンピュータ本体１０００の構成は、ＣＰＵ１１０１と、ＨＤＤ、ＲＯＭ等の不揮発性メモリ１１０２と、Ｄ−ＲＡＭ等の主メモリ１１０３と、インターフェース１１０４、ディスプレイインターフェース１１０５と、キーボードインターフェース１１０６と、ネットワークインターフェース１１０７とを含み構成されている。不揮発性メモリ１１０２には、例えば、パスワード入力受付プログラム、パスワード判断プログラム、利用可能化ステータス固定プログラム等の各種のプログラムが格納されている。各種のデータとしては、無線信号、信号強度、ロック解除ＩＤ、及び利用可能ステータス情報等に基づくデータがある。これらのプログラム及び／又はデータは、ＣＰＵ１１０１の制御の下、主メモリ１１０３上に読み込まれ、実行される。その他のプログラムは、実施形態１の図７に示したものと同様であるので、説明を省略する。
【００７１】＜処理の流れ＞  図１２に示すように、信号受信ステップ１２０１及び信号出力ステップ１２０２により、無線通信装置１０２０によって受信された無線信号はコンピュータ本体１０００に出力される。信号受信ステップ１２０１及び信号出力ステップ１２０２の処理は、実施形態１の図８に示した信号受信ステップ０８０１と信号出力ステップ０８０２と同様であるので、詳細な説明は省略する。
【００７２】  コンピュータ本体１０００は、ＣＰＵ１１０１の制御の下、信号取得ステップ１２０３、信号強度判断ステップ１２０４、判断ステップ１２０５、利用可能化ステップ１２０６、利用不能化ステップ１２０７、制御ステップ１２０８を実行することにより、信号強度判断部１００２での判断結果が無線信号強度が所定の条件を満たしているか否かで判断し（ステップ１２０４）、及び／又は信号取得部１００１からの図３に示すような取得信号にロック解除ＩＤが含まれているか否かで判断する（ステップ１２０５）。続いて、コンピュータ本体１０００は、ＣＰＵ１１０１の制御の下、利用可能化ステップ１２０６及び利用不能化ステップ１２０７の実行により、利用可能ステータス情報保持部１００４の利用可能ステータス又は利用不能ステータスを利用可能ステータス情報として常時保持する。処理ステップ１２０３〜１２０８までの処理は、実施形態１の図８の処理ステップ０８０３から０８０８までの処理と同様であるので、詳細な説明を省略する。
【００７３】  コンピュータ本体１０００は、制御ステップ１２０８によりロック制御されている状態において、ディスプレイインターフェースがディスプレイを通常には利用できない利用不能状態か否かの判断ステップを実行する（ステップ１２０９）。コンピュータ本体１０００は、利用不能状態でないと判断する場合（ステップ１２０９のＮ）、信号取得ステップ１２０３の処理に戻る。
【００７４】  一方、コンピュータ本体１０００は、ディスプレイインターフェースがディスプレイを通常には利用できない状態（利用不能状態）であると判断する場合（ステップ１２０９のＹ）、パスワード入力受付プログラムの実行に従ってパスワード入力の受け付け有無の判断を行うパスワード入力受付ステップを実行する（ステップ１２１０）。
【００７５】  コンピュータ本体１０００は、次に、パスワード判断プログラムの実行に従ってパスワードが正しいパスワードであるか判断するためのパスワード判断ステップを実行する（ステップ１２１１）。コンピュータ本体１０００は、パスワード判断ステップ１２１１での判断結果がパスワードが正しいパスワードであるとの判断結果である場合に、利用可能ステータス情報固定プログラムにより強制的に利用可能ステータス情報保持部１００４の利用可能ステータス情報を、利用可能ステータスに固定にする利用可能ステータス固定ステップを実行する（ステップ１２１２）。コンピュータ本体１０００は、次に、制御プログラムの実行に従ってロック制御処理に制御を渡す（ステップ１２１３）。制御部１００７は、利用可能ステータスに基づいて処理を行う一方、利用可能ステータス情報が利用可能ステータスに固定されているために、コンピュータ本体１０００の利用が終了となるまで、通常の状態で、ディスプレイが利用できる状態のままである。更に、コンピュータ本体１０００が電源ＯＦＦになった後に、再びＯＮになり、再起動する場合でも、利用可能ステータス情報は利用可能ステータスに固定されることが好ましい。コンピュータ本体１０００は、次に、ユーザによるコンピュータの利用が終了したか否かを判断し（ステップ１２１４）、利用終了でないと判断する場合には（ステップ１２１４のＮ）、制御ステップ１２１３に戻り、上述した処理を繰り返す。一方、ユーザによるコンピュータの利用が終了したと判断するの場合（ステップ１２１４のＹ）、例えばコンピュータの電源がＯＦＦにされた場合、ロックシステムは終了する。
【００７６】  このように、実施形態３によれば、実施形態１又は実施形態２に加え、例えばウィンドウズ（登録商標）パソコンなどにおいて、コンピュータロック中であっても、正しいパスワードの入力であれば、そのパスワード入力を受け付け、コンピュータ本体１０００のディスプレイインターフェースが利用不能状態であっても、そのディスプレイインターフェースを通常の利用可能な状態に変更できる。したがって、コンピュータ本体１０００の正当なユーザであれば、コンピュータ本体１０００での作業を継続して行うことができる。
【００７７】［実施形態４］＜概要＞  実施形態４は、実施形態３の変形であり、利用可能ステータス情報が利用可能ステータスに固定されている場合に機能を不活性化する不活性部を有する点に特徴がある。
【００７８】＜構成＞  図１３に示すように、実施形態４のコンピュータロックシステムは、例えば、コンピュータ本体１３００と、無線通信装置１３２０と、からなるコンピュータロックシステムである。無線通信装置１３２０は、例えば、信号受信部１３２１と、信号出力部１３２２とを備えるコンピュータ本体１３００は、例えば、信号取得部１３０１と、信号強度判断部１３０２と、ＩＤ判断部１３０３と、利用可能ステータス情報保持部１３０４と、利用可能化部１３０５と、利用不能化部１３０６と、制御部１３０７と、パスワード入力受付部１３０８と、パスワード判断部１３０９と、利用可能ステータス固定部１３１０と、不活性化部１３１１とを備える。
【００７９】＜不活性化部＞  不活性化部１３１１は、利用可能ステータス固定部１３１０により利用可能ステータス情報が利用可能ステータスに固定されている場合に、コンピュータ本体１３００の信号取得部１３０１と、信号強度判断部１３０２と、ＩＤ判断部１３０３と、利用不能化部１３０６とによってディスプレイインターフェースがディスプレイを通常には利用できない状態とすることができないように、その機能を不活性化する。すなわち、これは、本コンピュータロックシステムの機能が停止することを意味する。
【００８０】＜コンピュータ本体＞  図１４に示すように、コンピュータ本体１３００は、ＣＰＵ１４０１と、ＨＤＤ、ＲＯＭ等の不揮発性メモリ１４０２と、Ｄ−ＲＡＭ等の主メモリ１４０３と、インターフェース１４０４と、ディスプレイインターフェース１４０５と、キーボードインターフェース１４０６と、ネットワークインターフェース１４０７とを含み構成されている。不揮発性メモリ１４０２には、例えば、不活性化プログラム等の各種のプログラムが格納されている。各種のデータとしては、無線信号、信号強度、ロック解除ＩＤ、及び利用可能ステータス情報等に基づくデータがある。これらのプログラム及び／又はデータは、ＣＰＵ１４０１の制御の下、主メモリ１４０３上に読み込まれ、作業領域で実行される。その他のプログラムは実施形態３の図１１の構成と同様であるので、説明を省略する。
【００８１】＜処理の流れ＞  図１５に示すように、信号受信ステップ１５０１及び信号出力ステップ１５０２により、無線通信装置１３２０によって受信された無線信号はコンピュータ本体１３００に出力される。信号受信ステップ１５０１と信号出力ステップ１５０２の処理は、実施形態１の図８に示す信号受信ステップ０８０１と信号出力ステップ０８０２と同様であるので、詳細な説明は省略する。
【００８２】  コンピュータ本体１３００は、ＣＰＵ１４０１の制御の下、信号取得ステップ１５０３、信号強度判断ステップ１５０４、判断ステップ１５０５、利用可能化ステップ１５０６、利用不能化ステップ１５０７、制御ステップ１５０８を実行することにより、信号強度判断部１３０２での判断結果が無線信号強度が所定の条件を満たしているか否かで判断し（ステップ１５０４）、及び／又は信号取得部１３０１からの図３に示すような取得信号にロック解除ＩＤが含まれているか否かで判断する（ステップ１５０５）。続いて、コンピュータ本体１３００は、ＣＰＵ１４０１の制御の下、利用可能化ステップ１５０６及び利用不能化ステップ１５０７の実行により、利用可能ステータス情報保持部１３０４に利用可能ステータス又は利用不能ステータスを利用可能ステータス情報として保持する。処理ステップ１５０３〜１５０８までの処理は、実施形態１の図８の処理ステップ０８０３から０８０８までの処理と同様であるので、詳細な説明を省略する。
【００８３】  コンピュータ本体１３００は、制御ステップ１５０８によりロック制御されている状態において、ディスプレイインターフェースがディスプレイを通常には利用できない利用不能状態か否かの判断ステップを実行する（ステップ１５０９）。コンピュータ本体１３００は、利用不能状態でないと判断する場合（ステップ１５０９のＮ）、信号取得ステップ１５０３の処理に戻る。
【００８４】  一方、コンピュータ本体１３００は、ディスプレイインターフェースがディスプレイを通常には利用できない状態（利用不能状態）であると判断する場合（ステップ１５０９のＹ）、パスワード入力受付プログラムの実行に従ってパスワードの入力を受け付けるか否かの判断を行う入力受付判断ステップを実行する（ステップ１５１０）。
【００８５】  コンピュータ本体１３００は、パスワード入力受付判断ステップ１５１０において、パスワード入力を受け付けた場合（ステップ１５１０のＹ）、続いて、パスワード判断プログラムの実行に従ってパスワードが正しいパスワードであるか判断するためのパスワード判断ステップを実行する（ステップ１５１１）。
【００８６】  コンピュータ本体１３００は、パスワード判断ステップ１５１１での判断結果がパスワードが正しいパスワードであるとの判断結果である場合に、利用可能ステータス情報固定プログラムの実行に従って、強制的に、利用可能ステータス情報保持部１３０４の利用可能ステータス情報を利用可能ステータスに固定とする利用可能ステータス固定ステップを実行する（ステップ１５１２）。
【００８７】  コンピュータ本体１３００は、上記パスワード入力受付判断ステップ１５１０において、パスワード入力を受け付けなかった場合（ステップ１５１０のＮ）、信号取得ステップ１５０３に戻る。
【００８８】  コンピュータ本体１３００は、次に、不活性化プログラムの実行に従って利用可能ステータス固定部１３１０により利用可能ステータス情報が利用可能ステータスに固定されている場合に、無線信号取得部１３０１と、信号強度判断部１３０２と、判断部１３０３と、利用不能化部１３０６とによってコンピュータ本体１３００のディスプレイインターフェースがディスプレイを通常には利用できない状態とすることができないように機能を不活性化する（ステップ１５１３）。すなわち、これは、本コンピュータロックシステムの機能が停止することを意味する。
【００８９】  次に、コンピュータ本体１３００は、制御プログラムの実行に従ってロック制御処理に制御を渡す（ステップ１５１４）。制御プログラムは、利用可能ステータス情報に基づいて制御する一方、利用可能ステータス情報が利用可能ステータスに固定されているため、制御は利用可能状態に固定される。次に、コンピュータ本体１３００は、ユーザによるコンピュータの利用が終了したか否かを判断し（ステップ１５１５）、利用終了でないと判断する場合には（ステップ１５１５のＮ）、制御ステップ１５１４に戻り、上述した処理を繰り返す。一方、ユーザによるコンピュータの利用終了の場合（ステップ１５１５のＹ）、例えばコンピュータ本体１３００の電源がＯＦＦにされた場合、ロックシステムを終了する。ただし、電源ＯＦＦの後、再度、電源がＯＮにされ、コンピュータ本体１３００が再起動する場合には、再度ロックシステムが稼働すると不都合である場合がある。したがって、再起動後も不活性化状態や、利用可能ステータス情報の固定化が再現されることが好ましい。
【００９０】［実施形態５］＜概要＞  実施形態５は、実施形態１から実施形態４のいずれかの変形であり、ユーザが携帯可能で、ロック解除ＩＤを含む信号を発信するＲＦＩＤ装置をさらに含むコンピュータロックシステムである。
【００９１】＜構成＞  図１６に示すように、実施形態５のコンピュータロックシステムは、例えば、コンピュータ本体１６００と、無線通信装置１６１０とを備えるコンピュータロックシステムである。無線通信装置１６１０は、例えば、信号受信部１６１１と、信号出力部１６１２とを備える。無線通信装置１６１０は、送受信機能を有する無線通信装置であり得る。コンピュータ本体１６００は、例えば、信号取得部１６０１と、信号強度判断部１６０２と、ＩＤ判断部１６０３と、利用可能ステータス情報保持部１６０４と、利用可能化部１６０５と、利用不能化部１６０６と、制御部１６０７とを備える。信号受信部１６１１は、ＲＦＩＤ装置１６１３から無線信号を受信するように構成されている。ＲＦＩＤ装置１６１３は電源内蔵型であっても良い。この場合、電源は着脱不能でＲＦＩＤ装置１６１３は、使い捨てでも良いし、ＯＮ／ＯＦＦスイッチを有さず、電源である電池のみが着脱可能であるように構成しても良い。このように構成する利点は、電源の入れ忘れによってコンピュータのロック解除がされない事故を防止するためである。なお、電源の残量（電圧変化）に関する情報もこのＲＦＩＤから発信するようにして、コンピュータ本体１６００のディスプレイ画面にて確認できるように構成しても良い。この確認画面は「通常には使用できない状態」の画面に表示しても良い。
【００９２】  信号受信部１６１１は、ＲＦＩＤ装置１６１３から無線信号を受信可能に構成されている。ここで、ＲＦＩＤ装置１６１３は、カード型、無線タグ等の形態を問わない。例えば、社員証のようなカード型でも良く、無線タグのような小型の装置でも良い。ＲＦＩＤ装置１６１３に使用される無線周波数としては、例えば２．４ＧＨｚの周波数帯域が使用でき、これに限られず、特殊な環境下や電波干渉の問題が発生する部屋（エリア）では他の周波数帯を使用しても良い。
【００９３】  ＲＦＩＤ装置１６１３と無線通信装置１６１０との有効交信範囲は例えば約１メートルに設定され得る。これにより、コンピュータ本体１６００が複数台隣接して設置されているような環境においても、他の無線通信装置１６０１との混信を防ぐことができる。なお、無線通信装置は、指向性があるアンテナであっても良い。このような指向性アンテナは、そのコンピュータ本体１６００の操作をするユーザの座席の方向に向けられていることが好ましい。電波状態が良好な環境下では、ＲＦＩＤ装置１６１３は、電源を必ずしも有していなくても良い。例えば、ＲＦＩＤ装置１６１３の大きさは、Ｓｕｉｃａ（登録商標）程度の大きさを有し、また、薄型の電池を内蔵しても良い。各ＲＦＩＤ装置１６１３は、カードごとにユニークな識別番号で多数桁の情報（例えば１５桁以上）を有し、このような識別番号は、例えば従業員番号と関連付けられる。これにより、本コンピュータロックシステムは、図１８に示すような従業員の勤怠管理に利用することもできる。このユニークな識別情報は、ロック解除ＩＤであっても良いし、ロック解除ＩＤとは別の追加の識別情報であっても良い。追加の識別情報は、ＲＦＩＤ装置１６１３から発出され、無線通信装置１６１０の信号受信部１６１０によって受信される。また、ロック解除ＩＤと追加の識別情報とは、それぞれ、ＲＦＩＤ装置１６１３による発信電波強度が異なるように構成されても良い。追加の識別情報についての発信電波強度がロック解除ＩＤについての発信電波強度よりも強くなるように設定されることで、ロック解除は不要であるが、近辺にその者が滞在していることを情報として得ることができる。このような二段階の距離情報によって、ロック解除の準備を予めユニークな識別情報を受信することによって開始し、実際にロック解除ＩＤが所定以上の電波強度で受信されると、直ちにロック解除されるような制御が可能になる。
【００９４】  図１８に示す例では、１日を２４時間として、ロック（ログオフ）状態、アンロック（ロック解除）状態、及びマウスやキーボードが使用されていない（コンピュータにログインしているが、コンピュータに対して何らアクセスしていない）状態等の履歴（ログ）が、コンピュータ本体１６００のＣＰＵ１６０１の制御の下、取得され、勤怠管理が実現されている。また、データ入力作業等が中心の従業員の業務に関しては、本コンピュータロックシステムは、作業効率の分析に利用され得る。図１８では、ロック状態が２３．７ｈ、アンロック状態が０．３ｈ、マウスやキーボード不使用状態が０．１８ｈであることが示されている。図示されていないが、午前１０時〜午後６時等の勤務時間及び残業時間等が視覚的にグラフ表示されてもよい。
【００９５】  また、ＲＦＩＤ装置１６１３は、その電源容量（電池容量）が例えば８４０ｍＡ程度あれば、１年ないしは２年程度の期間、電池交換がなされずに使用可能である。メンテナンス作業等を考慮する場合は、電池交換不能とし、使用期間が満了したら、ＲＦＩＤ装置１６１３全体を交換しても良い。無線通信装置１６１０は、ＵＳＢインターフェースを介してケーブル接続されても良い。或いは、無線通信装置１６１０は、小型のＵＳＢコネクタタイプであっても良い。なお、コンピュータ本体１６００と無線通信装置１６１０とが双方向通信可能に構成されても良い。すなわち、コンピュータ本体１６００は、無線通信装置１６１０を用いて、ＲＦＩＤ装置１６１３に向けて識別情報を発信し、ＲＦＩＤ装置１６１３は、当該識別情報を受信した場合にのみ、ロック解除ＩＤを発信する。これにより、ＲＦＩＤ装置１６１３は、常時、ロック解除ＩＤを発信する必要がなくなるので、消費電力を削減することができるその他の構成については、実施形態１の図２の構成と同様であるので、説明を省略する。
【００９６】＜コンピュータ本体＞  実施形態１の図７の構成と同様であるので、説明を省略する。
【００９７】＜処理の流れ＞  無線通信装置１６１３及びコンピュータ本体１６００の処理の流れについては、実施形態１の図８に示した処理の流れと同様であるので、詳細な説明を省略し、以下では、実施形態５の特徴に特に関連する事項を説明する。すなわち、実施形態５では、例えば、ユーザは、カード型の社員証や小型の無線タグのようなＲＦＩＤ装置（電源内蔵／非内蔵を問わない。）を携帯する。ユーザがコンピュータ本体１６００での作業中に席を離れて有効交信範囲の外に出ると、本コンピュータロックシステムによって、自動的にコンピュータ本体１６００にロックがかかる。また、ユーザが席に近づく又は席に戻ると、すなわち有効交信範囲内に入ると、本コンピュータロックシステムによって、自動的にロックが解除される。有効交信範囲は、コンピュータ本体１６００の設置間隔や部屋の電波状況に応じて、例えば無線通信装置１６１３が接続されたコンピュータ本体１６００からの距離が約０．４メートルから数メートルぐらいの範囲であり得る。
【００９８】  このように、実施形態５によれば、実施形態１から実施形態４に加え、例えばカード型の社員証や小型の無線タグのようなＲＦＩＤ装置を携帯するユーザがコンピュータの作業中に有効交信範囲の外に出ると、自動的にコンピュータ本体１６００にロックがかかりことになる。また、ユーザが席に近づき有効交信範囲内に入ると、自動的にロックが解除されることになる。
【００９９】  以上のように、上記実施形態１から実施形態５によれば、コンピュータ本体と、コンピュータ本体に接続される無線通信装置とを備えるコンピュータロックシステムにより、第三者による不正使用を阻止することができる。
【符号の説明】
【０１００】  ０１００  コンピュータ本体０１０１  無線通信装置０１０２  ディスプレイ０１０３  キーボード０２００  コンピュータ本体０２０１  信号取得部０２０２  信号強度判断部０２０３  ＩＤ判断部０２０４  利用可能ステータス情報保持部０２０５  利用可能化部０２０６  利用不能化部０２０７  制御部０２１０  無線通信装置０２１１  信号受信部０２１２  信号出力部０７０１  ＣＰＵ０７０２  不揮発性メモリ０７０３  主メモリ０７０４  インターフェース０７０５  ディスプレイインターフェース０７０６  キーボードインターフェース０７０７  ネットワークインターフェース０８０１  信号受信ステップ０８０２  信号出力ステップ０８０３  信号取得ステップ０８０４  信号強度判断ステップ０８０５  ロック解除ＩＤ判断ステップ０８０６  利用可能化ステップ０８０７  利用不能化ステップ０８０８  制御ステップ１００２  信号強度判断部１００８  パスワード入力受付部１００９  パスワード判断部１０１０  利用可能ステータス固定部１２０４  信号強度判断ステップ１２１０  パスワード受付ステップ１２１１  パスワード判断ステップ１２１２  利用可能ステータス情報固定ステップ１３１１  不活性化部１５１３  不活性化ステップ１３０２、１６０２  信号強度判断部１２０４、１５０４  信号強度判断ステップ１６１３  ＲＦＩＤ 
【図１】
2020080191.tif 000003
【図２】
2020080191.tif 000004
【図３】
2020080191.tif 000005
【図４】
2020080191.tif 000006
【図５】
2020080191.tif 000007
【図６】
2020080191.tif 000008
【図７】
2020080191.tif 000009
【図８】
2020080191.tif 000010
【図９】
2020080191.tif 000011
【図１０】
2020080191.tif 000012
【図１１】
2020080191.tif 000013
【図１２】
2020080191.tif 000014
【図１３】
2020080191.tif 000015
【図１４】
2020080191.tif 000016
【図１５】
2020080191.tif 000017
【図１６】
2020080191.tif 000018
【図１７】
2020080191.tif 000019
【図１８】
2020080191.tif 000020
【国際調査報告】
2020080191.tif 000021
2020080191.tif 000022
2020080191.tif 000023
2020080191.tif 000024